(57)【要約】【課題】追焚機能と湯水噴出機能の両方を備える風呂システムにおいて、湯水噴出運転時でも浴槽内の湯水の温度を保つことができるようにすることを目的とする。【解決手段】風呂システムＳは、追焚往路管１２及び追焚復路管１４と接続された熱源機１０と、浴槽内に開口する追焚循環口９８と、追焚往路管１２から分岐するジェット配管１８と、ジェット配管１８に設けられたジェットポンプ２０と、ジェット配管１８と接続されると共に浴槽内に開口するジェットノズル１００と、追焚往路管１２及びジェット配管１８の接続部に設けられた流路切替弁２２とを備えている。【選択図】図１
2014190622.tif 000002
【特許請求の範囲】
【請求項１】
追焚往路管及び追焚復路管と接続されると共に、前記追焚復路管から前記追焚往路管に流れる湯水をガスバーナの熱を利用して加熱する熱源機と、
前記追焚往路管と接続されると共に浴槽内に開口する吐出口、及び、前記追焚復路管と接続されると共に前記浴槽内に開口する吸入口を有する追焚循環口と、
前記追焚往路管から分岐する湯水噴出配管と、
前記湯水噴出配管に設けられた湯水噴出ポンプと、
前記湯水噴出配管と接続されると共に前記浴槽内に開口する湯水噴出口と、
前記追焚往路管における前記熱源機との接続部を前記吐出口と連通させる追焚側切替状態と、前記追焚往路管における前記熱源機との接続部を前記湯水噴出配管を介して前記湯水噴出口と連通させる湯水噴出側切替状態とに切り替わる流路切替弁と、
を備えた風呂システム。
【請求項２】
前記追焚往路管及び前記追焚復路管における前記熱源機との接続部側から前記追焚往路管及び前記追焚復路管を流れる洗浄水を供給する洗浄水供給部をさらに備えた、
請求項１に記載の風呂システム。
【請求項３】
前記熱源機に設けられ、前記追焚往路管及び前記追焚復路管に前記湯水を循環させる循環ポンプと、
前記流路切替弁を前記湯水噴出側切替状態とした状態で前記循環ポンプ及び前記湯水噴出ポンプを作動させる湯水噴出モードを有する制御ユニットとをさらに備えた、
請求項１又は請求項２に記載の風呂システム。
【請求項４】
前記制御ユニットは、前記湯水噴出モードと、前記流路切替弁を前記追焚側切替状態とした状態で前記ガスバーナ及び前記循環ポンプを作動させる追焚モードと、前記追焚往路管及び前記追焚復路管に前記洗浄水が供給されるように前記洗浄水供給部を作動させる配管洗浄モードとを有する、
請求項３に記載の風呂システム。
【請求項５】
前記制御ユニットは、前記配管洗浄モードとして、前記流路切替弁を前記追焚側切替状態とした状態で前記洗浄水供給部を作動させる追焚回路洗浄モードと、前記流路切替弁を前記湯水噴出側切替状態とした状態で前記洗浄水供給部を作動させる湯水噴出回路洗浄モードとを有する、
請求項４に記載の風呂システム。
【請求項６】
前記湯水噴出ポンプは、直流モータポンプにより構成され、
前記制御ユニットは、前記湯水噴出モードのときに、前記湯水噴出口から前記浴槽内に噴出される前記湯水の圧力、及び、前記浴槽内に噴出される前記湯水の断続噴出時の間隔時間の少なくとも一方が変化するように前記湯水噴出ポンプを制御する、
請求項３〜請求項５のいずれか一項に記載の風呂システム。
【請求項７】
前記湯水噴出ポンプは、前記浴槽以外の場所に設置されている、
請求項１〜請求項６のいずれか一項に記載の風呂システム。
【請求項８】
前記浴槽の上部に設けられると共に、前記湯水噴出配管と接続された肩掛け用湯水噴出口をさらに備えた、
請求項１〜請求項７のいずれか一項に記載の風呂システム。
【発明の詳細な説明】
【技術分野】
【０００１】
本発明は、風呂システムに関する。
【背景技術】
【０００２】
従来、熱交換器と、浴槽内に開口する追焚循環口と、熱交換器及び追焚循環口を接続する循環回路とを備えた追焚機能付きの風呂システムがある（例えば、特許文献１参照）。
【０００３】
また、風呂システムのなかには、浴槽内に湯水を噴出させる湯水噴出口を備えた湯水噴出機能付きのものがある（例えば、特許文献２参照）。
【先行技術文献】
【特許文献】
【０００４】
【特許文献１】特開２００５−９７４６号公報
【特許文献２】特開平１１−９４７９号公報
【発明の概要】
【発明が解決しようとする課題】
【０００５】
このような風呂システムにおいて、追焚機能と湯水噴出機能の両方を備える場合、入浴時の快適性が向上されると考えられる。しかしながら、例えば、浴槽内から吸入した湯水をそのまま浴槽内に噴出させる湯水噴出機能を追焚機能付きの風呂システムに単に追加しただけでは、湯水噴出運転時に、湯水が湯水循環回路を循環する間に放熱されるため、浴槽内の湯水の温度が低下する。
【０００６】
そこで、本発明は、追焚機能と湯水噴出機能の両方を備える風呂システムにおいて、湯水噴出運転時でも浴槽内の湯水の温度を保つことができるようにすることを目的とする。
【課題を解決するための手段】
【０００７】
上記目的を達成するために、請求項１に記載の風呂システムは、追焚往路管及び追焚復路管と接続されると共に、前記追焚復路管から前記追焚往路管に流れる湯水をガスバーナの熱を利用して加熱する熱源機と、前記追焚往路管と接続されると共に浴槽内に開口する吐出口、及び、前記追焚復路管と接続されると共に前記浴槽内に開口する吸入口を有する追焚循環口と、前記追焚往路管から分岐する湯水噴出配管と、前記湯水噴出配管に設けられた湯水噴出ポンプと、前記湯水噴出配管と接続されると共に前記浴槽内に開口する湯水噴出口と、前記追焚往路管における前記熱源機との接続部を前記吐出口と連通させる状態と、前記追焚往路管における前記熱源機との接続部を前記吐出口と連通させる追焚側切替状態と、前記追焚往路管における前記熱源機との接続部を前記湯水噴出配管を介して前記湯水噴出口と連通させる湯水噴出側切替状態とに切り替わる流路切替弁と、を備えている。
【０００８】
この風呂システムでは、追焚運転時に、流路切替弁が追焚側切替状態とされ、追焚往路管における熱源機との接続部が追焚循環口の吐出口と連通された状態となる。この状態では、浴槽内の湯水が追焚循環口の吸入口から吸入され、この吸入された湯水が追焚復路管を通じて熱源機に戻される。また、熱源機に戻された湯水は、熱源機に設けられたガスバーナの熱を利用して加熱され、この加熱された湯水は、追焚往路管を通じて追焚循環口の吐出口から浴槽内に吐出される。そして、追焚運転時には、上記動作が繰り返されることにより、浴槽内の湯水が追い焚きされる。
【０００９】
一方、湯水噴出運転時には、流路切替弁が湯水噴出側切替状態とされ、追焚往路管における熱源機との接続部が湯水噴出配管を介して湯水噴出口と連通された状態となる。この状態では、熱源機にて加熱された湯水が追焚往路管から湯水噴出配管を通じて湯水噴出ポンプに供給され、この湯水噴出ポンプから吐出された湯水が湯水噴出口から浴槽内に噴出される。また、浴槽内の湯水は、追焚循環口の吸入口から吸入され、この吸入された湯水は、追焚復路管を通じて熱源機に戻されてガスバーナの熱を利用して加熱される。そして、湯水噴出運転時には、上記動作が繰り返されることにより、熱源機で加熱された湯水が湯水噴出口から浴槽内に噴出され続ける。従って、この風呂システムによれば、湯水噴出運転時でも浴槽内の湯水の温度を保つことができる。
【００１０】
請求項２に記載の風呂システムは、請求項１に記載の風呂システムにおいて、前記追焚往路管及び前記追焚復路管における前記熱源機との接続部側から前記追焚往路管及び前記追焚復路管を流れる洗浄水を供給する洗浄水供給部をさらに備えている。
【００１１】
この風呂システムでは、洗浄水供給部から洗浄水が供給されると、この洗浄水は、追焚往路管及び追焚復路管における熱源機との接続部側から追焚往路管及び追焚復路管を流れる。
【００１２】
ここで、例えば、上述の追焚運転時の如く、流路切替弁が追焚側切替状態とされて、追焚往路管における熱源機との接続部が追焚循環口の吐出口と連通された状態になると、追焚往路管に供給された洗浄水は、追焚往路管を全長に亘って流れて追焚循環口の吐出口から浴槽内に排出される。これにより、追焚往路管が全長に亘って洗浄されると共に、追焚循環口の吐出口が洗浄される。
【００１３】
一方、例えば、上述の湯水噴出運転時の如く、流路切替弁が湯水噴出側切替状態とされて、追焚往路管における熱源機との接続部が湯水噴出配管を介して湯水噴出口と連通された状態になると、追焚往路管に供給された洗浄水は、追焚往路管及び湯水噴出配管を通じて湯水噴出口から浴槽内に排出される。これにより、追焚往路管における熱源機と湯水噴出配管との間の部分と、湯水噴出配管とが洗浄されると共に、湯水噴出口が洗浄される。
【００１４】
また、追焚復路管に供給された洗浄水は、追焚復路管を全長に亘って流れて追焚循環口の吸入口から浴槽内に排出される。これにより、追焚復路管が全長に亘って洗浄されると共に、追焚循環口の吸入口が洗浄される。
【００１５】
従って、この風呂システムによれば、追焚往路管、追焚復路管、湯水噴出配管、追焚循環口、及び、湯水噴出口を洗浄することができるので、追焚往路管、追焚復路管、湯水噴出配管、追焚循環口、及び、湯水噴出口をきれいに保つことができる。
【００１６】
請求項３に記載の風呂システムは、請求項１又は請求項２に記載の風呂システムにおいて、前記熱源機に設けられ、前記追焚往路管及び前記追焚復路管に前記湯水を循環させる循環ポンプと、前記流路切替弁を前記湯水噴出側切替状態とした状態で前記循環ポンプ及び前記湯水噴出ポンプを作動させる湯水噴出モードを有する制御ユニットとをさらに備えている。
【００１７】
この風呂システムによれば、制御ユニットが湯水噴出モードになると、流路切替弁が湯水噴出側切替状態とされた状態で、循環ポンプ及び湯水噴出ポンプの両方のポンプが作動する。従って、循環ポンプ及び湯水噴出ポンプの両方のポンプの力を使って湯水を浴槽内に噴出させることができるので、湯水の噴出圧力を維持しつつ、湯水噴出ポンプの小型化を図ることができる。
【００１８】
請求項４に記載の風呂システムは、請求項３に記載の風呂システムにおいて、前記制御ユニットが、前記湯水噴出モードと、前記流路切替弁を前記追焚側切替状態とした状態で前記ガスバーナ及び前記循環ポンプを作動させる追焚モードと、前記追焚往路管及び前記追焚復路管に前記洗浄水が供給されるように前記洗浄水供給部を作動させる配管洗浄モードとを有するものである。
【００１９】
この風呂システムによれば、制御ユニットが、追焚モードと、湯水噴出モードと、配管洗浄モードに切り替わることにより、風呂システムを追焚運転と、湯水噴出運転と、配管洗浄運転に切り替えることができる。これにより、風呂システムの使い勝手を向上させることができる。
【００２０】
請求項５に記載の風呂システムは、請求項４に記載の風呂システムにおいて、前記制御ユニットが、前記配管洗浄モードとして、前記流路切替弁を前記追焚側切替状態とした状態で前記洗浄水供給部を作動させる追焚回路洗浄モードと、前記流路切替弁を前記湯水噴出側切替状態とした状態で前記洗浄水供給部を作動させる湯水噴出回路洗浄モードとを有するものである。
【００２１】
この風呂システムによれば、制御ユニットが、追焚回路洗浄モードと、湯水噴出回路洗浄モードに切り替わることにより、風呂システムを追焚回路洗浄運転と、湯水噴出回路洗浄運転に切り替えることができる。これにより、風呂システムにおける配管洗浄運転時の使い勝手を向上させることができる。
【００２２】
請求項６に記載の風呂システムは、請求項３〜請求項５のいずれか一項に記載の風呂システムにおいて、前記湯水噴出ポンプが、直流モータポンプにより構成され、前記制御ユニットが、前記湯水噴出モードのときに、前記湯水噴出口から前記浴槽内に噴出される前記湯水の圧力、及び、前記浴槽内に噴出される前記湯水の断続噴出時の間隔時間の少なくとも一方が変化するように前記湯水噴出ポンプを制御するものである。
【００２３】
この風呂システムによれば、制御ユニットが湯水噴出モードになると、湯水噴出ポンプが制御ユニットによって制御されることにより、湯水噴出口から浴槽内に噴出される湯水の圧力、及び、浴槽内に噴出される湯水の断続噴出時の間隔時間の少なくとも一方が変化する。これにより、湯水噴出運転時における入浴者の飽きを抑制して、入浴者に対して湯水噴出運転の利用を促進することができる。
【００２４】
請求項７に記載の風呂システムは、請求項１〜請求項６のいずれか一項に記載の風呂システムにおいて、前記湯水噴出ポンプが、前記浴槽以外の場所に設置されたものである。
【００２５】
この風呂システムによれば、湯水噴出ポンプは、浴槽以外の場所に設置されている。従って、浴槽に湯水噴出ポンプの設置場所を設ける必要が無いので（湯水噴出ポンプを設置するための切欠部を浴槽に設ける必要が無いので）、浴槽の断熱層を確保することができる。これにより、浴槽の保温性を確保することができる。
【００２６】
請求項８に記載の風呂システムは、請求項１〜請求項７のいずれか一項に記載の風呂システムにおいて、前記浴槽の上部に設けられると共に、前記湯水噴出配管と接続された肩掛け用湯水噴出口をさらに備えている。
【００２７】
この風呂システムによれば、湯水噴出運転時には、浴槽の上部に設けられた肩掛け用湯水噴出口から浴槽内に湯水が噴出される。これにより、肩掛け用湯水噴出口から噴出された湯水を入浴者の肩に当てることができるので、入浴時の快適性を向上させることができる。
【発明の効果】
【００２８】
以上詳述したように、本発明によれば、追焚機能と湯水噴出機能の両方を備える風呂システムにおいて、湯水噴出運転時でも浴槽内の湯水の温度を保つことができる。
【図面の簡単な説明】
【００２９】
【図１】本発明の一実施形態に係る風呂システムの全体図である。
【図２】図１に示される熱源機の内部構成図である。
【図３】図１に示されるリモコンの正面図である。
【図４】図１に示される制御ユニットの配管洗浄モードにおける動作を説明するフローチャートである。
【図５】図１に示される浴槽の変形例を示す図である。
【発明を実施するための形態】
【００３０】
以下、図面を参照しながら、本発明の一実施形態について説明する。
【００３１】
図１に示されるように、本発明の一実施形態に係る風呂システムＳは、熱源機１０と、追焚往路管１２と、追焚復路管１４と、浴槽１６と、ジェット配管１８と、ジェットポンプ２０と、流路切替弁２２とを備えている。
【００３２】
熱源機１０は、屋外に設置されており、缶２４と、追焚部２６と、給湯部２８と、循環ポンプ３０と、ファン３２とを主要な構成要素として有している。この熱源機１０の各構成要素は、より具体的には、次のように構成されている。
【００３３】
つまり、図２に示されるように、缶２４の内部空間は、仕切板によって追焚用空間３４と給湯用空間３６とに仕切られている。缶２４の底部には、ファン３２が設けられており、缶２４の上部には、排気口３８が形成されている。
【００３４】
追焚部２６は、熱交換器４２とガスバーナ４４とを有している。熱交換器４２及びガスバーナ４４は、追焚用空間３４に配置されている。追焚往路管１２は、熱交換器４２の出口と接続されており、追焚復路管１４は、循環ポンプ３０の吸入口と接続されている。循環ポンプ３０の吐出口は、配管４６を介して熱交換器４２の入口と接続されている。配管４６には、水位センサ４８及び水流スイッチ５０が設けられており、追焚復路管１４には、戻り湯水温度センサ５２が設けられている。
【００３５】
給湯部２８（洗浄水供給部）は、主熱交換器５４と、副熱交換器５６と、ガスバーナ５８とを有している。副熱交換器５６の入口には、給水管６０が接続されており、副熱交換器５６の出口は、主熱交換器５４の入口と接続されている。主熱交換器５４の出口には、給湯管６２が接続されており、給水管６０と給湯管６２とは、バイパス管６４によって連結されている。
【００３６】
給水管６０におけるバイパス管６４との接続部よりも上流側には、水量センサ６６及び水量制御弁６８が設けられており、給水管６０とバイパス管６４との接続部には、バイパス弁７０が設けられている。また、給湯管６２におけるバイパス管６４との接続部よりも下流側には、出湯温度センサ７２が設けられている。
【００３７】
この給湯管６２におけるバイパス管６４との接続部よりも下流側からは、湯張り配管７４が分岐されており、この湯張り配管７４は、追焚復路管１４における循環ポンプ３０側と接続されている。この湯張り配管７４には、注湯弁７６、逆止弁７８、水流センサ８０が設けられている。注湯弁７６は、通常、閉止した状態となっている。
【００３８】
また、ガス（都市ガス）が流れる元管８２は、元管本体８４と、この元管本体８４から分岐された複数の分岐管８６，８８とを有している。分岐管８６は、追焚部２６のガスバーナ４４に接続されており、複数の分岐管８８は、給湯部２８のガスバーナ５８に接続されている。また、元管本体８４には、電磁弁９０及び比例弁９２が設けられており、複数の分岐管８６，８８には、電磁弁９４，９５がそれぞれ設けられている。各電磁弁９４，９５は、通常、閉止した状態となっている。
【００３９】
図１に示されるように、浴槽１６は、浴室９６に設けられている。この浴槽１６には、追焚循環口９８及び複数のジェットノズル１００が設けられている。追焚循環口９８は、浴槽１６内に開口する吐出口１０２及び吸入口１０４を有している。吐出口１０２は、追焚往路管１２と接続されており、吸入口１０４は、追焚復路管１４と接続されている。
【００４０】
複数のジェットノズル１００（湯水噴出口）は、それぞれジェット配管１８と接続されると共に浴槽１６内に開口している。この複数のジェットノズル１００には、図示しない空気混合機構が設けられている。そして、この複数のジェットノズル１００からは、それぞれ空気及び湯水を含んだ噴流が噴出されるようになっている。この複数のジェットノズル１００は、追焚循環口９８よりも高い位置に設けられている。
【００４１】
また、浴槽１６の周囲には、エプロン１０６が設けられており、このエプロン１０６の内側には、断熱層１０８が設けられている。また、浴槽１６の底部には、排水口１１０が設けられており、この排水口１１０を塞ぐ排水栓１１２は、排水アクチュエータ１１４により開閉されるようになっている。
【００４２】
ジェット配管１８（湯水噴出配管）は、追焚往路管１２の長手方向中間部から分岐している。このジェット配管１８には、直流モータポンプにより構成されたジェットポンプ２０（湯水噴出ポンプ）が設けられている。このジェットポンプ２０は、浴槽１６以外の場所に設置されており、本実施形態では、一例として、熱源機１０に設けられた配管カバー１１８の内部に収容されている。
【００４３】
流路切替弁２２は、電磁式の三方弁により構成されており、追焚往路管１２とジェット配管１８との接続部（分岐部）に設けられている。この流路切替弁２２は、ジェット配管１８を封止して追焚往路管１２を全長に亘って連通させる状態と、追焚往路管１２の下流側を封止して追焚往路管１２の上流側（熱源機１０側）をジェット配管１８と連通させる状態とに切り替わるようになっている。
【００４４】
流路切替弁２２がジェット配管１８を封止して追焚往路管１２を全長に亘って連通させる状態になると、追焚往路管１２における熱源機１０との接続部が吐出口１０２と連通された状態になる。また、流路切替弁２２が追焚往路管１２の下流側を封止して追焚往路管１２の上流側をジェット配管１８と連通させる状態になると、追焚往路管１２における熱源機１０との接続部がジェット配管１８を介してジェットノズル１００と連通された状態になる。
【００４５】
以下、追焚往路管１２における熱源機１０との接続部を吐出口１０２と連通させる流路切替弁２２の切替状態を、追焚側切替状態と称する。また、追焚往路管１２における熱源機１０との接続部をジェット配管１８を介してジェットノズル１００と連通させる流路切替弁２２の切替状態を、ジェット側切替状態（湯水噴出側切替状態）と称する。流路切替弁２２は、通常、追焚側切替状態になっている。
【００４６】
また、風呂システムＳは、上記各構成に加え、リモートコントローラ１２０（以下、リモコン１２０と略称する）と、制御ユニット１２２とを備えている。
【００４７】
リモコン１２０は、浴室９６の側壁に設けられている。このリモコン１２０には、図３に示されるように、一例として、運転ボタン１２４、風呂自動ボタン１２６、追焚ボタン１２８、排水ボタン１３０、呼び出しボタン１３２、ジェットボタン１３４等が設けられている。
【００４８】
また、このリモコン１２０には、ジェット運転時に選択できるリズムボタン１３６、強ボタン１３８、及び、弱ボタン１４０が設けられている。さらに、リモコン１２０の中央部には、運転状況等を表示する表示部１４２が設けられている。リモコン１２０は、各ボタンが押された場合に、押されたボタンに対応する信号を出力する。
【００４９】
制御ユニット１２２は、図１に示されるように、一例として熱源機１０の内部に設けられている。この制御ユニット１２２は、各運転を行うためのプログラムなどを記憶したＲＯＭ（読み出し専用メモリ）、リモコン１２０や各センサ等から出力された信号に基づくデータを一時的に記憶するＲＡＭ（書き換え可能メモリ）、及び、各プログラムを実行するＣＰＵ（中央演算素子）等を有している。
【００５０】
この制御ユニット１２２には、図１に示されるガスバーナ４４，５８の点火装置、ファン３２、循環ポンプ３０、ジェットポンプ２０、流路切替弁２２、及び、排水アクチュエータ１１４に加え、図２に示される水位センサ４８、水流スイッチ５０、戻り湯水温度センサ５２、水量センサ６６、水量制御弁６８、バイパス弁７０、出湯温度センサ７２、注湯弁７６、水流センサ８０、電磁弁９０，９４，９５、及び、比例弁９２等が電気的に接続されている。
【００５１】
続いて、本発明の一実施形態に係る風呂システムＳの主な運転動作について説明する。
【００５２】
＜追焚運転＞
浴槽１６に湯水が張られた状態で、図３に示されるリモコン１２０の追焚ボタン１２８が押されると、リモコン１２０から制御ユニット１２２に追焚指令信号が出力される。制御ユニット１２２は、追焚指令信号を検出すると、追焚モードになる。
【００５３】
制御ユニット１２２は、追焚モードになると、図１に示される流路切替弁２２を追焚側切替状態とした状態で、図２に示される電磁弁９０，９４を開放させてガスを追焚用のガスバーナ４４に供給すると共にガスバーナ４４の点火装置を起動させてガスをガスバーナ４４にて燃焼させる（ガスバーナ４４を作動させる）。さらに、制御ユニット１２２は、循環ポンプ３０を作動させる。
【００５４】
循環ポンプ３０が作動すると、図１に示される浴槽１６内の湯水が追焚循環口９８の吸入口１０４から吸入され、この吸入された湯水が追焚復路管１４を通じて熱源機１０内の追焚用の熱交換器４２に戻される。また、熱交換器４２に戻された湯水は、追焚用のガスバーナ４４で加熱され、この加熱された湯水は、追焚往路管１２を通じて吐出口１０２から浴槽１６内に吐出される。
【００５５】
また、追焚復路管１４に設けられた戻り湯水温度センサ５２からは、追焚復路管１４を流れる湯水の温度に応じた温度検出信号が出力される。そして、追焚運転時には、制御ユニット１２２において、戻り湯水温度センサ５２からの温度検出信号に基づく検出値が設定追焚温度として設定された設定値に達したと判断されるまで（戻り湯水の温度が設定追焚温度になるまで）、上記動作が繰り返される。これにより、浴槽１６内の湯水が追い焚きされる。
【００５６】
＜ジェット運転＞
浴槽１６に湯水が張られた状態で、図３に示されるリモコン１２０のジェットボタン１３４が押されると、リモコン１２０から制御ユニット１２２にジェット指令信号が出力される。制御ユニット１２２は、ジェット指令信号を検出すると、ジェットモード（湯水噴出モード）になる。
【００５７】
制御ユニット１２２は、ジェットモードになると、図１に示される流路切替弁２２をジェット側切替状態に切り替える。また、制御ユニット１２２は、図２に示される電磁弁９０，９４を開放させてガスを追焚用のガスバーナ４４に供給すると共にガスバーナ４４の点火装置を起動させてガスをガスバーナ４４にて燃焼させる。さらに、制御ユニット１２２は、循環ポンプ３０及びジェットポンプ２０を作動させる。
【００５８】
循環ポンプ３０が作動すると、図１に示される追焚用の熱交換器４２にて加熱された湯水が追焚往路管１２からジェット配管１８を通じてジェットポンプ２０に供給される。また、このジェットポンプ２０から吐出された湯水は、各ジェットノズル１００に設けられた図示しない空気混合機構により空気と混合される。そして、各ジェットノズル１００から浴槽１６内に空気及び湯水を含んだ噴流が噴出される。
【００５９】
また、浴槽１６内の湯水は、追焚循環口９８の吸入口１０４から吸入され、この吸入された湯水は、追焚復路管１４を通じて熱源機１０内の追焚用の熱交換器４２に戻される。また、熱交換器４２に戻された湯水は、追焚用のガスバーナ４４で加熱される。
【００６０】
そして、ジェット運転時には、リモコン１２０のジェットボタン１３４が再度押されてジェット運転の停止が選択されるか、又は、他の運転モードが選択されるまで、上記動作が繰り返される。これにより、熱源機１０の追焚用のガスバーナ４４で加熱された湯水が空気を含んだ噴流としてジェットノズル１００から浴槽１６内に噴出され続け、浴槽１６内の湯水の温度が保たれる。
【００６１】
また、リモコン１２０のリズムボタン１３６が押されると、リモコン１２０から制御ユニット１２２にリズム指令信号が出力される。制御ユニット１２２は、リズム指令信号を検出すると、リズムモードになる。
【００６２】
制御ユニット１２２は、リズムモードになると、ＲＯＭに予め記憶されていたリズムモード用のプログラムを実行し、所定のリズムに倣ってジェットポンプ２０の回転数を可変させたり、ジェットポンプ２０を断続的に作動させたりする。また、制御ユニット１２２は、ジェットポンプ２０を断続的に作動させる際には、その断続作動の間隔を所定のリズムに倣って可変させる。これにより、ジェットノズル１００から噴出される噴流の圧力、及び、ジェットノズル１００から噴出される噴流の断続噴出時の間隔時間が変化する。なお、この所定のリズムとして、例えば、ゆらぎのリズムが挙げられる。
【００６３】
また、リモコン１２０の強ボタン１３８が押されると、制御ユニット１２２は、ジェットポンプ２０の回転数を増加させ、リモコン１２０の弱ボタン１４０が押されると、制御ユニット１２２は、ジェットポンプ２０の回転数を減少させる。これにより、リモコン１２０の強ボタン１３８及び弱ボタン１４０に応じてジェットノズル１００から浴槽１６内に噴出される噴流の圧力が増減される。
【００６４】
＜配管洗浄運転＞
図３に示されるリモコン１２０の排水ボタン１３０が押されると、リモコン１２０から制御ユニット１２２に排水指令信号が出力される。制御ユニット１２２は、排水指令信号を検出すると、配管洗浄モードになる。図４には、制御ユニット１２２の配管洗浄モードにおける動作が示されている。下記の各ステップについては、図４を参照することにする。
【００６５】
制御ユニット１２２は、配管洗浄モードになると、図１に示される排水アクチュエータ１１４を作動させ、排水口１１０を塞いでいる排水栓１１２を開放させる（ステップＳ１）。これにより、浴槽１６の湯水が排水口１１０を通じて排水される。
【００６６】
また、浴槽１６の湯水が排水口１１０を通じて排水されているときには、図２に示される水位センサ４８から浴槽１６の水位に応じた水位検出信号が出力される。制御ユニット１２２は、水位センサ４８からの水位検出信号を検出し、この水位検出信号に基づく検出値が予め設定された基準値未満であるか否かを判断する（ステップＳ２）。制御ユニット１２２は、浴槽１６の湯水の水位が基準水位未満となるまで、ステップＳ２の処理を繰り返し行う。なお、この場合の基準水位は、例えば、湯水からジェットノズル１００が露出される水位である。
【００６７】
そして、浴槽１６の湯水の水位が基準水位未満となると、制御ユニット１２２は、配管洗浄モードのうちのさらにジェット回路洗浄モード（湯水噴出回路洗浄モード）となる。制御ユニット１２２は、ジェット回路洗浄モードになると、流路切替弁２２をジェット側切替状態に切り替える（ステップＳ３）。
【００６８】
また、このとき、制御ユニット１２２は、水量制御弁６８を開放させて主熱交換器５４及び副熱交換器５６に水を流通させる。また、制御ユニット１２２は、電磁弁９０，９５を開放させてガスを追焚用のガスバーナ５８に供給すると共にガスバーナ５８の点火装置を起動させてガスをガスバーナ５８にて燃焼させる（ガスバーナ５８を作動させる）。さらに、制御ユニット１２２は、注湯弁７６を開放させる。これにより、主熱交換器５４及び副熱交換器５６を流れる水が給湯用のガスバーナ５８で加熱されてお湯になると共に、このお湯が洗浄水として湯張り配管７４を通じて追焚復路管１４に供給される（注湯が開始される）。
【００６９】
そして、湯張り配管７４から追焚復路管１４に供給されたお湯の一部は、追焚復路管１４における熱源機１０との接続部側（この場合、循環ポンプ３０側）から追焚復路管１４を流れて、追焚復路管１４内の水を全て排出させた後に、追焚循環口９８の吸入口１０４から浴槽１６内に排出される。これにより、洗浄水としてのお湯によって追焚復路管１４が全長に亘って洗浄されると共に、追焚循環口９８の吸入口１０４が洗浄される。浴槽１６内に排出されたお湯は、排水口１１０を通じて排出される。
【００７０】
一方、湯張り配管７４から追焚復路管１４に供給されたお湯の残りは、循環ポンプ３０及び追焚用の熱交換器４２を経由して追焚往路管１２に供給される。そして、このようにして追焚往路管１２に供給されたお湯は、追焚往路管１２における熱源機１０との接続部側（この場合、追焚用の熱交換器４２側）から追焚往路管１２を流れる。また、この追焚往路管１２を流れる洗浄水としてのお湯は、ジェット配管１８及びジェットポンプ２０を経由して、追焚往路管１２及びジェット配管１８内の水を全て排出させた後に、ジェットノズル１００から浴槽１６内に排出される。これにより、追焚往路管１２における熱源機１０とジェット配管１８との間の部分と、ジェット配管１８とが洗浄されると共に、ジェットノズル１００が洗浄される。浴槽１６内に排出されたお湯は、排水口１１０を通じて排出される。
【００７１】
なお、本実施形態では、ジェットポンプ２０及び循環ポンプ３０に開放型のポンプが用いられている。また、湯張り配管７４には圧力の高い状態でお湯が流れる。従って、上述のように、追焚復路管１４における熱源機１０との接続部側に湯張り配管７４からお湯が供給された場合でも、このお湯が、循環ポンプ３０、追焚用の熱交換器４２、追焚往路管１２、ジェット配管１８、及び、ジェットポンプ２０を経由してジェットノズル１００から浴槽１６内に排出される。
【００７２】
また、このように給湯部２８から洗浄水としてのお湯が供給されているときには、水量センサ６６から給水管６０を流れる水の量に応じた水量検出信号が出力される。制御ユニット１２２は、水量検出信号を検出すると、注湯が完了したか否か、すなわち、水量検出信号に基づく検出値が予め設定された閾値に達したか否かを判断する（ステップＳ４）。本実施形態では、洗浄に使用されるお湯の量は、追焚復路管１２、追焚復路管１４、及び、ジェット配管１８の内部の水を洗浄水としてのお湯に入れ替えることができる程度に設定されており、一例として、５リットルとされている。また、上述の予め設定された閾値は、この５リットル分の水量に相当する値とされている。
【００７３】
そして、制御ユニット１２２は、水量センサ６６からの水量検出信号に基づく検出値が予め設定された閾値に達したと判断すると、注湯弁７６を閉止させ、注湯を停止させる（ステップＳ５）。以上は、ジェット回路洗浄運転（湯水噴出回路洗浄）である。
【００７４】
次に、所定時間の経過後（追焚循環口９８が露出される程度の水位になった後）、制御ユニット１２２は、配管洗浄モードのうちの追焚回路洗浄モードとなる。制御ユニット１２２は、追焚回路洗浄モードになると、流路切替弁２２を追焚側切替状態に切り替える（ステップＳ６）。そして、制御ユニット１２２は、注湯弁７６を開放させる。これにより、給湯部２８から洗浄水としてのお湯が湯張り配管７４を通じて追焚復路管１４に供給される。
【００７５】
湯張り配管７４から追焚復路管１４に供給されたお湯の一部は、上述のジェット回路洗浄モードの場合と同様に、追焚復路管１４を流れ、追焚循環口９８の吸入口１０４から浴槽１６内に排出される。これにより、洗浄水としてのお湯によって追焚復路管１４が全長に亘って洗浄されると共に、追焚循環口９８の吸入口１０４が洗浄される。浴槽１６内に排出されたお湯は、排水口１１０を通じて排出される。
【００７６】
一方、湯張り配管７４から追焚復路管１４に供給されたお湯の残りは、循環ポンプ３０及び追焚用の熱交換器４２を経由して追焚往路管１２に供給される。そして、このようにして追焚往路管１２に供給されたお湯は、追焚往路管１２における熱源機１０との接続部側（この場合、追焚用の熱交換器４２側）から追焚往路管１２の全長に亘って流れて、追焚往路管１２内の水を全て排出させた後に、追焚循環口９８の吐出口１０２から浴槽１６内に排出される。これにより、洗浄水としてのお湯によって追焚往路管１２が全長に亘って洗浄されると共に、追焚循環口９８の吐出口１０２が洗浄される。浴槽１６内に排出されたお湯は、排水口１１０を通じて排出される。
【００７７】
また、このように給湯部２８から洗浄水としてのお湯が供給されているときには、水量センサ６６から給水管６０を流れる水の量に応じた水量検出信号が出力される。制御ユニット１２２は、水量検出信号を検出すると、注湯が完了したか否か、すなわち、水量検出信号に基づく検出値が予め設定された閾値に達したか否かを判断する（ステップＳ７）。この場合においても、洗浄に使用されるお湯の量は、一例として、５リットルとされており、上述の予め設定された閾値は、この５リットル分の水量に相当する値とされている。
【００７８】
そして、制御ユニット１２２は、水量センサ６６からの水量検出信号に基づく検出値が予め設定された閾値に達したと判断すると、注湯弁７６を閉止させて注湯を停止させる（ステップＳ８）。以上は、追焚回路洗浄運転である。
【００７９】
続いて、本発明の一実施形態の作用及び効果について説明する。
【００８０】
以上詳述したように、本発明の一実施形態によれば、ジェット運転時には、流路切替弁２２がジェット側切替状態とされ、追焚往路管１２の下流側が封止されて追焚往路管１２の上流側がジェット配管１８と連通される。そして、熱源機１０にて加熱された湯水が追焚往路管１２からジェット配管１８を通じてジェットポンプ２０に供給され、このジェットポンプ２０から吐出された湯水がジェットノズル１００から浴槽１６内に噴出される。また、浴槽１６内の湯水は、追焚循環口９８の吸入口１０４から吸入され、この吸入された湯水は、追焚復路管１４を通じて熱源機１０に戻されて熱源機１０のガスバーナ４４で加熱される。そして、ジェット運転時には、上記動作が繰り返されることにより、熱源機１０で加熱された湯水がジェットノズル１００から浴槽１６内に噴出され続ける。従って、この風呂システムＳによれば、ジェット運転時でも浴槽１６内の湯水の温度を保つことができる。
【００８１】
また、ジェット運転時には、循環ポンプ３０及びジェットポンプ２０の両方のポンプが作動する。従って、循環ポンプ３０及びジェットポンプ２０の両方のポンプの力を使って噴流を浴槽１６内に噴出させることができるので、噴流の噴出圧力を維持しつつ、ジェットポンプ２０の小型化を図ることができる。
【００８２】
さらに、制御ユニット１２２がジェットモードになると、この制御ユニット１２２によってジェットポンプ２０が制御されることにより、ジェットノズル１００から浴槽１６内に噴出される噴流の圧力、及び、浴槽１６内に噴出される噴流の断続噴出時の間隔時間が変化する。これにより、ジェット運転時における入浴者の飽きを抑制して、入浴者に対してジェット運転（ジェットバス）の利用を促進することができる。
【００８３】
また、ジェットポンプ２０は、熱源機１０に設けられた配管カバー１１８の内部に収容されており、浴槽１６以外の場所に設置されている。従って、浴槽１６にジェットポンプ２０の設置場所を設ける必要が無いので（ジェットポンプ２０を設置するための切欠部を浴槽１６に設ける必要が無いので）、浴槽１６の断熱層１０８を確保することができる。これにより、浴槽１６の保温性を確保することができる。
【００８４】
また、この風呂システムＳでは、配管洗浄運転時に、熱源機１０に設けられた給湯部２８から洗浄水としてのお湯が供給される。このお湯は、追焚往路管１２及び追焚復路管１４における熱源機１０との接続部側から追焚往路管１２及び追焚復路管１４を流れる。つまり、追焚復路管１４には、湯張り配管７４との接続部から追焚循環口９８側に向けてお湯が流れ、追焚復路管１４には、湯張り配管７４から循環ポンプ３０及び追焚用の熱交換器４２を経由したお湯が追焚循環口９８側に向けて流れる。
【００８５】
そして、制御ユニット１２２が追焚回路洗浄モードになると、上述の追焚運転時の如く流路切替弁２２が追焚側切替状態に切り替えられる。また、追焚往路管１２に供給された洗浄水としてのお湯は、追焚往路管１２を全長に亘って流れて、追焚往路管１２内の水を全て排出させた後に、追焚循環口９８の吐出口１０２から浴槽１６内に排出される。これにより、追焚往路管１２が全長に亘って洗浄されると共に、追焚循環口９８の吐出口１０２が洗浄される。
【００８６】
また、制御回路がジェット回路洗浄モードになると、上述のジェット運転時の如く流路切替弁２２がジェット側切替状態に切り替えられる。そして、追焚往路管１２に供給された洗浄水としてのお湯は、追焚往路管１２及びジェット配管１８を通じて流れ、追焚往路管１２及びジェット配管１８内の水を全て排出させた後に、ジェットノズル１００から浴槽１６内に排出される。これにより、追焚往路管１２における熱源機１０とジェット配管１８との間の部分と、ジェット配管１８とが洗浄されると共に、ジェットノズル１００が洗浄される。
【００８７】
また、追焚復路管１４に供給された洗浄水としてのお湯は、追焚復路管１４を全長に亘って流れて、追焚復路管１４内の水を全て排出させた後に、追焚循環口９８の吸入口１０４から浴槽１６内に排出される。これにより、追焚復路管１４が全長に亘って洗浄されると共に、追焚循環口９８の吸入口１０４が洗浄される。
【００８８】
従って、この風呂システムＳによれば、配管洗浄運転時には、追焚往路管１２、追焚復路管１４、ジェット配管１８、追焚循環口９８、及び、ジェットノズル１００を洗浄することができるので、追焚往路管１２、追焚復路管１４、ジェット配管１８、追焚循環口９８、及び、ジェットノズル１００をきれいに保つことができる。
【００８９】
しかも、この風呂システムＳによれば、配管洗浄運転時には、制御ユニット１２２が、追焚回路洗浄モードと、ジェット回路洗浄モードに切り替わることにより、風呂システムＳを追焚回路洗浄運転と、ジェット回路洗浄運転に自動で切り替えることができる。これにより、風呂システムＳにおける配管洗浄運転時の使い勝手を向上させることができる。
【００９０】
また、この風呂システムＳによれば、制御ユニット１２２が、リモコン１２０の操作に応じて追焚モードと、ジェットモードと、配管洗浄モードに切り替わることにより、風呂システムＳを追焚運転と、ジェット運転と、配管洗浄運転に切り替えることができる。これにより、風呂システムＳの使い勝手を向上させることができる。
【００９１】
続いて、本発明の一実施形態の変形例について説明する。
【００９２】
本発明の一実施形態では、配管洗浄運転時に、給湯部２８から洗浄水としてお湯が供給されていた。しかしながら、配管洗浄運転時に、ガスバーナ５８が作動されずに、給湯部２８から洗浄水として水が供給されても良い。
【００９３】
また、配管洗浄運転時に、制御ユニット１２２は、ジェット回路洗浄モード及び追焚回路洗浄モードの両方のモードを実行していたが、例えば、ジェット運転後にジェット回路洗浄モードのみを実行しても良く、また、ジェット運転せずに追焚運転のみを行った場合には、追焚回路洗浄モードのみを実行しても良い。
【００９４】
また、配管洗浄運転時に、制御ユニット１２２は、ジェット回路洗浄モードになった後に、追焚回路洗浄モードになっていたが、追焚回路洗浄モードになった後に、ジェット回路洗浄モードになっても良い。
【００９５】
また、図３に示されるリモコン１２０の排水ボタン１３０が押されることで、制御ユニット１２２が配管洗浄モードになり、配管洗浄運転が実行されていた。しかしながら、排水栓１１２が手動で開放された場合（浴槽栓が手で抜かれた場合）に、制御ユニット１２２が水位センサ４８からの水位検出信号を検出し、浴槽１６の湯水の水位が基準水位未満になった場合に制御ユニット１２２が配管洗浄モードになり、配管洗浄運転が実行されても良い。
【００９６】
また、制御ユニット１２２は、ジェットモード時に、ジェットノズル１００から噴出される噴流の圧力、及び、噴流の断続噴出時の間隔時間の両方が変化するようにジェットポンプ２０を制御していた。しかしながら、制御ユニット１２２は、ジェットノズル１００から噴出される噴流の圧力、及び、噴流の断続噴出時の間隔時間のどちらか一方のみが変化するようにジェットポンプ２０を制御していても良い。
【００９７】
また、風呂システムＳでは、三方弁により構成されると共に追焚往路管１２とジェット配管１８との接続部に設けられた流路切替弁２２が用いられていた。しかしながら、追焚往路管１２における熱源機１０との接続部が吐出口１０２と連通された状態と、追焚往路管１２における熱源機１０との接続部がジェット配管１８を介してジェットノズル１００と連通された状態とに切り替えられるのであれば、三方弁以外の流路切替弁が用いられても良い。
【００９８】
また、風呂システムＳでは、給湯部２８によって追焚往路管１２及び追焚復路管１４に洗浄水が供給されるようになっていたが、洗浄水を供給する洗浄水供給部が給湯部２８とは別に設けられていても良い。
【００９９】
また、熱源機１０は、追焚用の熱交換器４２をガスバーナ４４で直接的に加熱することにより、追焚復路管１４から追焚往路管１２に流れる湯水を加熱する構成とされていた。しかしながら、熱源機１０は、追焚用の熱交換器４２と熱交換可能な暖房回路と、この暖房回路に温水を循環させる暖房回路ポンプと、暖房回路を流れる温水を加熱するガスバーナとを有し、追焚用の熱交換器４２をガスバーナで間接的に加熱する構成とされていても良い。つまり、熱源機１０は、追焚復路管１４から追焚往路管１２に流れる湯水をガスバーナの熱を利用して加熱する構成であれば、どのよう方式でも良い。
【０１００】
また、浴槽１６は、図５に示されるように、肩掛け用ジェットノズル１４４（肩掛け用湯水噴出口）を有していても良い。この肩掛け用ジェットノズル１４４は、浴槽１６の上部に設けられており、肩掛け用ジェット配管１４６を介してジェット配管１８と接続されている。また、この肩掛け用ジェットノズル１４４は、通常のジェットノズル１００と同様に、図示しない空気混合機構を有しており、この肩掛け用ジェットノズル１４４からは空気及び湯水を含んだ噴流が噴出されるようになっている。
【０１０１】
このように構成されていると、ジェット運転時には、浴槽１６の上部に設けられた肩掛け用ジェットノズル１４４から浴槽１６内に噴流を噴出させることができる。これにより、肩掛け用ジェットノズル１４４から噴出された噴流を入浴者の肩に当てることができるので、入浴時の快適性を向上させることができる。
【０１０２】
なお、肩掛け用ジェット配管１４６には、電磁弁１４８が設けられていても良い。このように構成されていると、ジェット運転時には、電磁弁１４８の開閉状態の切替に応じて、肩掛け用ジェットノズル１４４から噴流が噴出される状態と噴流が噴出されない状態とに切り替えることができる。
【０１０３】
また、本発明の一実施形態では、湯水噴出の一例として、ジェットノズル１００から湯水及び空気を含む噴流が噴出されるようになっていた。しかしながら、ジェットノズル１００から空気混合機構が省かれて、ジェットノズル１００から湯水のみが噴出されても良い。同様に、上述の図５に示される変形例において、肩掛け用ジェットノズル１４４からは湯水のみが噴出されても良い。なお、湯水のみが噴出される場合には、上述の本発明の一実施形態における『ジェット』の用語は、全て『湯水噴出』として置き換えられて把握されるものである。
【０１０４】
また、上記複数の変形例は、適宜組み合わされて実施されても良い。
【０１０５】
以上、本発明の一実施形態について説明したが、本発明は、上記に限定されるものでなく、上記以外にも、その主旨を逸脱しない範囲内において種々変形して実施可能であることは勿論である。
【符号の説明】
【０１０６】
Ｓ…風呂システム、１０…熱源機、１２…追焚往路管、１４…追焚復路管、１６…浴槽、１８…ジェット配管（湯水噴出配管）、２０…ジェットポンプ（湯水噴出ポンプ）、２２…流路切替弁、２６…追焚部、２８…給湯部（洗浄水供給部）３０…循環ポンプ、４２…追焚用の熱交換器、４４…追焚用のガスバーナ、５４…給湯用の主熱交換器、５６…給湯用の副熱交換器、５８…給湯用のガスバーナ、９８…追焚循環口、１００…ジェットノズル（湯水噴出口）、１０２…吐出口、１０４…吸入口、１０８…断熱層、１１０…排水口、１１２…排水栓、１１４…排水アクチュエータ、１２０…リモートコントローラ、１２２…制御ユニット、１４４…肩掛け用ジェットノズル（肩掛け用湯水噴出口）
【図１】
2014190622.tif 000003
【図２】
2014190622.tif 000004
【図３】
2014190622.tif 000005
【図４】
2014190622.tif 000006
【図５】
2014190622.tif 000007